(57)【要約】【課題】電子機器の電源投入時に出力される音声の出力レベルを生活環境に応じて最適化する。【解決手段】電子機器の音声出力レベルを調整する音量調整装置１は、電源切断時に音声出力レベルを記憶する記憶部１２０と、電源切断時に電子機器の周囲における第１周囲騒音レベルを検出する第１騒音レベル検出部９４２と、第１周囲騒音レベルの変化態様から騒音の種類を判別し、第１パラメータを設定して記憶する第１騒音判定部９４４と、電源投入時に電子機器の周囲における第２周囲騒音レベルを検出する第２騒音レベル検出部９４２と、第２周囲騒音レベルの変化態様から騒音の種類を判別し、第２パラメータを設定する第２騒音判定部９４４と、を備え、第１パラメータと第２パラメータに基づいて求められる調整パラメータを用いて記憶部１２０に記憶されている音声出力レベルを調整し、電子機器の電源投入時における音声出力レベルとして設定する。【選択図】図１
2020127066.tif 000002
【特許請求の範囲】
【請求項１】
電子機器の音声出力レベルを調整する音量調整装置であって、
前記電子機器の電源切断時の音声出力レベルを記憶する記憶部と、
前記電子機器の電源切断時に前記電子機器の周囲における第１周囲騒音レベルを検出する第１騒音レベル検出部と、
前記第１周囲騒音レベルの変化態様から騒音の種類を判別し、当該騒音の種類を示す第１パラメータを設定して記憶する第１騒音判定部と、
前記電子機器の電源投入時に前記電子機器の周囲における第２周囲騒音レベルを検出する第２騒音レベル検出部と、
前記第２周囲騒音レベルの変化態様から騒音の種類を判別し、当該騒音の種類を示す第２パラメータを設定する第２騒音判定部と、
前記第１パラメータと前記第２パラメータに基づいて求められる調整パラメータを用いて前記記憶部に記憶されている前記音声出力レベルを調整し、前記電子機器の電源投入時における音声出力レベルとして設定する音量調整部と、
を備える音量調整装置。
【請求項２】
前記第１騒音判定部は、前記第１周囲騒音レベルの振幅波高値と発生頻度に基づいて騒音の種類を判別し、
前記第２騒音判定部は、前記第２周囲騒音レベルの振幅波高値と発生頻度に基づいて騒音の種類を判別する、
ことを特徴とする請求項１記載の音量調整装置。
【請求項３】
前記第１騒音判定部は、電源切断時の所定時間内における前記第１周囲騒音レベルの振幅波高値の最大値と平均値を前記第１パラメータとして記憶し、
前記第２騒音判定部は、電源投入時の所定時間内における前記第２周囲騒音レベルの振幅波高値の最大値と平均値を前記第２パラメータとして設定する、
ことを特徴とする請求項１または２記載の音量調整装置。
【請求項４】
前記音量調整部は、前記第１周囲騒音レベルの振幅波高値の最大値と前記第２周囲騒音レベルの振幅波高値の最大値との比率を示す第１係数を算出するとともに、前記第１周囲騒音レベルの振幅波高値の平均値と前記第２周囲騒音レベルの振幅波高値の平均値との比率を示す第２係数を算出し、前記第１係数と前記第２係数に基づいて前記調整パラメータを算出する、
ことを特徴とする請求項３記載の音量調整装置。
【請求項５】
時刻情報を取得する時刻情報取得部を有し、
前記音量調整部は、電源投入時に取得される時刻情報に応じて前記調整パラメータまたは前記電子機器の電源投入時における音声出力レベルとして設定される音声出力レベルを補正する、
ことを特徴とする請求項１乃至４記載の音量調整装置。
【請求項６】
電子機器の音声出力レベルを調整する音量調整装置における音量調整方法であって、
前記電子機器の電源切断時の音声出力レベルを記憶するステップと、
前記電子機器の電源切断時に前記電子機器の周囲における第１周囲騒音レベルを検出するステップと、
前記第１周囲騒音レベルの変化態様から騒音の種類を判別し、当該騒音の種類を示す第１パラメータを設定して記憶するステップと、
前記電子機器の電源投入時に前記電子機器の周囲における第２周囲騒音レベルを検出するステップと、
前記第２周囲騒音レベルの変化態様から騒音の種類を判別し、当該騒音の種類を示す第２パラメータを設定するステップと、
前記第１パラメータと前記第２パラメータに基づいて求められる調整パラメータを用いて記憶した前記音声出力レベルを調整し、前記電子機器の電源投入時における音声出力レベルとして設定するステップと、
を有する音量調整方法。
【請求項７】
電子機器の音声出力レベルを調整する音量調整装置に、
前記電子機器の電源切断時の音声出力レベルを記憶するステップと、
前記電子機器の電源切断時に前記電子機器の周囲における第１周囲騒音レベルを検出するステップと、
前記第１周囲騒音レベルの変化態様から騒音の種類を判別し、当該騒音の種類を示す第１パラメータを設定して記憶するステップと、
前記電子機器の電源投入時に前記電子機器の周囲における第２周囲騒音レベルを検出するステップと、
前記第２周囲騒音レベルの変化態様から騒音の種類を判別し、当該騒音の種類を示す第２パラメータを設定するステップと、
前記第１パラメータと前記第２パラメータに基づいて求められる調整パラメータを用いて記憶した前記音声出力レベルを調整し、前記電子機器の電源投入時における音声出力レベルとして設定するステップと、
を実行させるためのプログラム。
【発明の詳細な説明】
【技術分野】
【０００１】
本発明は、音量調整装置、音量調整方法およびプログラムに関する。
【背景技術】
【０００２】
映像機器や音響機器などの電子機器の音量調整技術として、電源投入時に電子機器の周囲の騒音レベルを検出し、検出した騒音レベルに応じて音声出力レベルを調整する技術が知られている（例えば、特許文献１参照）。
【先行技術文献】
【特許文献】
【０００３】
【特許文献１】特開２００７−０９７０８７号公報
【発明の概要】
【発明が解決しようとする課題】
【０００４】
従来の音量調整装置では、電子機器の周囲の騒音レベルに応じて、電子機器の電源投入時に出力される音声の出力レベルを自動的に調整することができる。しかし、電源投入時における周囲の騒音レベルを一義的に検出しているため、電子機器の設置環境や生活環境の変化を考慮した調整はできていない。
【０００５】
本発明は、上記に鑑みてなされたものであり、電子機器の電源投入時に出力される音声の出力レベルを生活環境の変化に応じて最適化することを目的とする。
【課題を解決するための手段】
【０００６】
上記課題を解決するための本発明に係る音量調整装置は、前記電子機器の電源切断時に前記電子機器の音声出力レベルを記憶する記憶部と、前記電子機器の電源切断時に前記電子機器の周囲における第１周囲騒音レベルを検出する第１騒音レベル検出部と、前記第１周囲騒音レベルの変化態様から騒音の種類を判別し、当該騒音の種類を示す第１パラメータを設定して記憶する第１騒音判定部と、前記電子機器の電源投入時に前記電子機器の周囲における第２周囲騒音レベルを検出する第２騒音レベル検出部と、前記第２周囲騒音レベルの変化態様から騒音の種類を判別し、当該騒音の種類を示す第２パラメータを設定する第２騒音判定部と、前記第１パラメータと前記第２パラメータに基づいて求められる調整パラメータを用いて前記記憶部に記憶されている前記音声出力レベルを調整し、前記電子機器の電源投入時における音声出力レベルとして設定する音量調整部と、を備えることを特徴とする。
【０００７】
本発明に係る音量調整方法は、前記電子機器の電源切断時に前記電子機器の音声出力レベルを記憶するステップと、前記電子機器の電源切断時に前記電子機器の周囲における第１周囲騒音レベルを検出するステップと、前記第１周囲騒音レベルの変化態様から騒音の種類を判別し、当該騒音の種類を示す第１パラメータを設定して記憶するステップと、前記電子機器の電源投入時に前記電子機器の周囲における第２周囲騒音レベルを検出するステップと、前記第２周囲騒音レベルの変化態様から騒音の種類を判別し、当該騒音の種類を示す第２パラメータを設定するステップと、前記第１パラメータと前記第２パラメータに基づいて求められる調整パラメータを用いて記憶した前記音声出力レベルを調整し、前記電子機器の電源投入時における音声出力レベルとして設定するステップと、を有することを特徴とする。
【０００８】
本発明に係るプログラムは、前記電子機器の電源切断時に前記電子機器の音声出力レベルを記憶するステップと、前記電子機器の電源切断時に前記電子機器の周囲における第１周囲騒音レベルを検出するステップと、前記第１周囲騒音レベルの変化態様から騒音の種類を判別し、当該騒音の種類を示す第１パラメータを設定して記憶するステップと、前記電子機器の電源投入時に前記電子機器の周囲における第２周囲騒音レベルを検出するステップと、前記第２周囲騒音レベルの変化態様から騒音の種類を判別し、当該騒音の種類を示す第２パラメータを設定するステップと、前記第１パラメータと前記第２パラメータに基づいて求められる調整パラメータを用いて記憶した前記音声出力レベルを調整し、前記電子機器の電源投入時における音声出力レベルとして設定するステップと、を電子機器の音声出力レベルを調整する音量調整装置として動作するコンピュータに実行させることを特徴とする。
【発明の効果】
【０００９】
本発明によれば、電子機器の電源投入時における音声出力レベルを、電子機器の設置環境や生活環境に応じて最適化することができる。
【図面の簡単な説明】
【００１０】
【図１】本発明の第１実施形態に係る音量調整装置の概略的な構成例を示すブロック図である。
【図２】本発明の第１実施形態に係る音量調整装置における音量調整処理の一連の流れを示すフローチャートである。
【図３】本発明の第１実施形態に係る音量調整装置における電源投入処理の流れを示すフローチャートである。
【図４】本発明の第１実施形態に係る音量調整装置におけるボリューム調整処理の流れを示すフローチャートである。
【図５】本発明の第１実施形態に係る音量調整装置における電源切断処理の流れを示すフローチャートである。
【図６】本発明の第１実施形態に係る音量調整装置における騒音種類判定処理の流れを示すフローチャートである。
【図７】本発明の第１実施形態に係る音量調整装置における周囲騒音種類の判定テーブルの一例である。
【図８】本発明の第２実施形態に係る音量調整装置の概略的な構成例を示すブロック図である。
【図９】本発明の第２実施形態に係る音量調整装置における電源投入処理の流れを示すフローチャートである。
【図１０】本発明の第２実施形態に係る音量調整装置における電源投入処理の流れを示すフローチャートである。
【図１１】本発明の第２実施形態に係る音量調整装置における調整パラメータ算出のための参照テーブルの一例である。
【発明を実施するための形態】
【００１１】
以下に添付図面を参照して、本発明に係る音量調整装置、音量調整方法およびプログラムの実施形態を詳細に説明する。なお、以下の実施形態により本発明が限定されるものではない。
【００１２】
［実施形態１］
図１は、実施形態１にかかる音量調整装置の概略的な構成例を示すブロック図である。
【００１３】
音量調整装置１は、映像機器や音響機器などの電子機器に組み込まれて使用される。音量調整装置１は、音源１０から供給される音声信号の出力レベルを調整するボリューム２０と、ＤＡＣ（ＤｉｇｉｔａｌｔｏＡｎａｌｏｇＣｏｎｖｅｒｔｅｒ）３０と、パワーアンプ４０と、スピーカ５０と、マイクロフォン６０と、マイクアンプ７０と、ＡＤＣ（ＡｎａｌｏｇｔｏＤｉｇｉｔａｌＣｏｎｖｅｒｔｅｒ）８０と、音声出力レベル調整部９０と、騒音判定用メモリ１００と、入力部１１０と、記憶部１２０と、により構成される。
【００１４】
音源１０は、電子機器の音声信号を出力する出力部であり、音源１０から出力されるデジタル音声信号は、ボリューム２０に入力される。
【００１５】
ボリューム２０は、音源１０から供給されるデジタル音声信号の出力レベルを調整するためのボリュームであり、音声出力レベル調整部９０のボリュームコントローラ９８によって制御される。
【００１６】
ＤＡＣ３０は、音源１０からボリューム２０を介して供給されるデジタル音声信号をアナログ信号に変換してパワーアンプ４０に供給する。
【００１７】
パワーアンプ４０は、ＤＡＣ３０から供給されるアナログ音声信号を増幅し、スピーカ５０から音声を出力する。
【００１８】
マイクロフォン６０は、電子機器の周囲の音声を集音するマイクであり、マイクロフォン６０により集音された周囲音声信号は、マイクアンプ７０により増幅され、ＡＤＣ８０に供給される。
【００１９】
ＡＤＣ８０は、マイクアンプ７０から供給されるアナログ音声信号をデジタル信号に変換して、音声出力レベル調整部９０のエコーキャンセラー９２に供給する。
【００２０】
音声出力レベル調整部９０は、マイクロフォン６０により集音された周囲音声信号から周囲騒音信号を抽出し、騒音の種類を判定して、ボリューム２０から出力されるデジタル音声信号の出力レベルを調整する。
【００２１】
騒音判定用メモリ１００は、音声出力レベル調整部９０において騒音の種類を判定する際に用いられる内部メモリである。騒音判定用メモリ１００には、例えば、ＲＡＭ（ＲａｎｄｏｍＡｃｃｅｓｓＭｅｍｏｒｙ）やフラッシュメモリなどの半導体メモリ素子が用いられる。騒音判定用メモリ１００は、記憶部１２０と兼用であってもよい。
【００２２】
入力部１１０は、操作ボタンや操作キーを備え、電子機器の電源のオン・オフやボリュームのアップ・ダウンなどのユーザーによる操作指示を音声出力レベル調整部９０のＣＰＵ（ＣｅｎｔｒａｌＰｒｏｃｅｓｓｉｎｇＵｎｉｔ）９６に供給する。電源ボタンは、通常の電源ボタンの他に、本発明を実行するための専用ボタンを設けてもよいし、電源ボタンと他のボタンやスイッチとの組み合わせにより本発明を実行するようにしてもよい。本発明の実施を選択できるようにすることにより、音声出力レベルをユーザーの好みに合わせることが可能になる。また、入力部１０を赤外線の受光部やＷｉ−Ｆｉなどの無線通信の受信部により構成し、リモートコントローラ１３０からの操作指示を受け付けるようにしてもよい。
【００２３】
記憶部１２０は、音声出力レベル調整部９０で設定した音声出力レベルを調整するための調整パラメータやボリューム値を記憶しておくためのメモリである。記憶部１２０は、例えば、ＲＡＭやフラッシュメモリなどの半導体メモリ素子、または、メモリカードなどの記憶媒体が用いられる。
【００２４】
音声出力レベル調整部９０は、エコーキャンセラー９２と、騒音種類判定部９４と、ＣＰＵ９６と、ボリュームコントローラ９８と、を備える。
【００２５】
エコーキャンセラー９２は、マイクロフォン９６により集音される周囲音声信号から、スピーカ５０から出力される音声に相当する参照信号を差し引くことで騒音成分の信号である周囲騒音信号のみを抽出し、周囲騒音信号を騒音種類判定部９４に供給する。エコーキャンセラー９２は、適応フィルタを用いた一般的な回路で構成することができる。
【００２６】
騒音種類判定部９４は、騒音レベル検出部９４２と騒音判定部９４４を備え、騒音判定用メモリ１００を用いながらエコーキャンセラー９２から供給される周囲騒音信号の振幅波高値を監視し、騒音の種類を判定する。判定結果は、ＣＰＵ９６に供給する。
【００２７】
騒音レベル検出部９４２は、エコーキャンセラー９２から供給される周囲騒音信号の振幅波高値を監視し、振幅波高値の最大値を検出する。また、騒音判定用メモリ１００を演算用メモリとして使用し、周囲騒音信号の振幅波高値の変化をリアルタイムに取得して、振幅波高値の平均値を算出する。検出した振幅波高値の最大値と算出した振幅波高値の平均値は、騒音判定用メモリ１００に記憶される。
【００２８】
騒音判定部９４４は、記憶された振幅波高値の最大値および平均値を元に、後述する判定テーブルを用いて周囲騒音の種類を判定する。
【００２９】
ＣＰＵ９６は、騒音種類判定部９４から判定結果を取得し、調整パラメータとして記憶部１２０に記憶する。また、ＣＰＵ９６は、騒音種類判定部９４から供給される判定結果と記憶部１２０に記憶されている判定結果に基づいて、音源１０から供給される音声信号の出力レベルを設定するためのボリューム値を決定する。決定したボリューム値は記憶部１２０に記憶される。また、騒音種類判定部９４において騒音種類判定に用いられた振幅波高値の最大値や平均値を、判定結果を示す騒音種類データとして記憶部１２０に記憶する。また、入力部１１０から供給されるユーザーからの操作指示により設定されるボリューム値も、設定された音声出力レベルとして記憶部１２０に記憶する。
【００３０】
ＣＰＵ９６は、決定したボリューム値あるいは入力部１１０から供給されるユーザーの操作指示に基づいて、ボリューム２０を制御するようにボリュームコントローラ９８に指示信号を出力する。
なお、ＣＰＵ９６は、音量調整装置１の専用ＣＰＵとして説明しているが、電子機器に搭載されるＣＰＵに兼用させてもよい。
【００３１】
ボリュームコントローラ９８は、ＣＰＵ９６からの指示信号に基づき、ボリューム２０を制御し、音源１０から供給される音声信号の出力レベルを設定する。
【００３２】
次に、図２乃至図６を用いて、電子機器の電源投入時における音声出力レベルの調整処理について詳細に説明する。電子機器の電源投入時における音声出力レベルの調整処理は、図１に示す音量調整装置１にて行われる。
【００３３】
図２に示すフローチャートは、電子機器の電源投入時から電源切断時までの間に、音量調整装置１において実行される音声出力レベルの調整処理の一例を示す基本フローチャートである。
【００３４】
入力部１１０あるいはリモートコントローラ１３０の電源ボタンが操作され、電子機器の電源が投入されると、音量調整装置１において電源投入処理が実行される（Ｓ１０１）。電源投入処理の詳細については後述する。
【００３５】
電源投入処理が終了すると、音量調整装置１では、ユーザーによる入力部１１０あるいはリモートコントローラ１３０の音量調整操作に基づき、ボリューム調整処理が実行される（Ｓ１０２）。ボリューム調整処理の詳細については後述する。
【００３６】
ボリューム調整処理が終了すると、ユーザーによる電源切断指示の受付けを確認する（Ｓ１０３）。より具体的には、入力部１１０あるいはリモートコントローラ１３０の操作を介してユーザーから電子機器の電源切断指示があったか否かを確認する。電源切断の指示を受付けた場合は（ステップＳ１０３でＹｅｓ）、ステップＳ１０４に移行する。一方、電源切断の指示を受付けていない場合は（ステップＳ１０３でＮｏ）、ステップＳ１０２に戻り、ボリューム調整処理を実行する。ステップ１０２のボリューム調整処理は、ステップ１０３で電子機器の電源切断指示を受付けるまで繰り返される。
【００３７】
電子機器の電源切断指示を受付けると（ステップＳ１０３でＹｅｓ）、音量調整装置１において電源切断処理が実行される（Ｓ１０４）。電源切断処理の詳細については後述する。
【００３８】
図３に示すフローチャートは、ステップＳ１０１の電源投入処理の詳細な流れの一例を示すフローチャートである。
【００３９】
ＣＰＵ９６は、入力部１１０あるいはリモートコントローラ１３０の電源ボタンの操作を介してユーザーから電子機器の電源投入指示がなされたか否かを監視する（Ｓ２０１）。電源投入の指示を受付けた場合は（ステップＳ２０１でＹｅｓ）、ステップＳ２０２に移行する。一方、電源投入の指示を受付けていない場合は（ステップＳ２０１でＮｏ）、電源投入の指示を受付けるまでステップ２０１をループする。つまり、電源投入指示の受付を待つ待機状態となる。
【００４０】
電子機器の電源投入指示を受付けると（ステップＳ２０１でＹｅｓ）、音量調整装置１において電源投入処理が開始される（Ｓ２０２）。
【００４１】
電源投入処理が開始されると、ＣＰＵ９６においてボリューム値制御が開始される（Ｓ２０３）。ボリューム値制御とは、音源１０から出力されるデジタル音声信号の出力レベルを設定するためのボリューム値ＶＰｏｎ（ＶｏｌｕｍｅＰｏｗｅｒｏｎ）を決定する処理である。
【００４２】
ボリューム値制御が開始されると、ＣＰＵ９６は、記憶部１２０から前回の電源切断時に記憶したボリューム値ＶＰｏｆｆ（ＶｏｌｕｍｅＰｏｗｅｒｏｆｆ）を読み出して取得する（Ｓ２０４）。ボリューム値ＶＰｏｆｆの取得後はステップ２０９に移行する。
【００４３】
一方、ステップＳ２０２で電源投入処理が開始されると、ステップＳ２０３のボリューム値制御と平行して、騒音種類判定部９４において騒音判定処理が開始される（Ｓ２０５）。騒音判定処理とは、電子機器の周囲で発生している騒音の種類を判定する処理である。
【００４４】
騒音判定処理が開始されると、マイクロフォン６０により集音された周囲音声信号が、マイクアンプ７０とＡＤＣ８０を介してエコーキャンセラー９２に入力される。エコーキャンセラー９２は、周囲音声信号から騒音成分の信号である周囲騒音信号のみを抽出し、周囲騒音信号を騒音種類判定部９４に供給する。
【００４５】
騒音種類判定部９４では、入力される周囲騒音信号から騒音の種類を特定するための判定処理が実行される（Ｓ２０６）。騒音レベル検出部９４２は、エコーキャンセラー９２から供給される周囲騒音信号の振幅波高値をフレーム単位で監視し、振幅波高値の最大値を検出する。また、騒音判定用メモリ１００を演算用メモリとして使用し、周囲騒音信号の振幅波高値の変化をリアルタイムに取得して、振幅波高値の平均値をフレーム単位で算出する。検出した振幅波高値の最大値と算出した振幅波高値の平均値は、騒音判定用メモリ１００に記憶される。騒音判定部９４４は、記憶された振幅波高値の最大値および平均値を元に周囲騒音の種類を判定する。
【００４６】
図６に示すフローチャートは、ステップＳ２０６の騒音種類判定処理の詳細な流れの一例を示すフローチャートである。
【００４７】
騒音種類判定部９４は、エコーキャンセラー９２から供給される周囲騒音信号を入力する（Ｓ５０１）。騒音種類判定部９４は、エコーキャンセラー９２から供給される周囲騒音信号をフレーム単位で処理する。
【００４８】
騒音レベル検出部９４２は、入力される周囲騒音信号の振幅波高値の平均値をフレーム単位で算出する（Ｓ５０２）。騒音レベル検出部９４２は、フレーム単位の平均値を騒音判定用メモリ１００に記憶し、各フレームの平均値から騒音判定用の平均値を算出する処理を行う。
【００４９】
騒音レベル検出部９４２は、入力される周囲騒音信号の振幅波高値をフレーム単位で監視する（Ｓ５０３）。騒音レベル検出部９４２は、入力される周囲騒音信号のフレーム単位で検出される振幅波高値の最大値と騒音判定用メモリ１００に記憶されている振幅波高値の最大値とを常時比較し、騒音判定用メモリ１００に記憶されている最大値よりも大きい最大値を検出した場合（Ｓ５０３でＹｅｓ）、騒音判定用メモリ１００に記憶されている最大値を新たに検出した最大値に更新する（Ｓ５０４）。その後、ステップＳ５０５に移行する。ステップＳ５０３で騒音判定用メモリ１００に記憶されている最大値よりも大きい最大値が検出されない場合（Ｓ５０２でＮｏ）、ステップＳ５０４はスキップされ、ステップＳ５０５に移行する。
【００５０】
ステップＳ５０５では、ステップＳ２０２で電源投入処理が開始されてから所定時間が経過したかを監視する。電子機器の周囲で発生している騒音の種類の判定精度を向上するためには、周囲騒音信号の取得時間を長く設定することが望ましい。しかし、電子機器の起動時間が長くなってしまうという弊害があるため、所定時間は１０秒以内に設定するのが望ましい。なお、計時する所定時間は、電子機器の電源投入処理が開始されてからの経過時間としてもよいし、フレーム単位時間の累積時間としてもよい。
【００５１】
ステップＳ５０５において所定時間が経過していないと判定される場合は（Ｓ５０５でＮｏ）、ステップＳ５０１に移行し、Ｓ５０１〜Ｓ５０４の処理を繰り返す。なお、Ｓ５０１〜Ｓ５０４の処理は、周囲騒音信号のフレーム単位の処理ということができる。
【００５２】
ステップＳ５０５において所定時間が経過したと判定される場合は（Ｓ５０５でＹｅｓ）、演算した振幅波高値の平均値を騒音判定用メモリ１００に記憶する（Ｓ５０６）。
【００５３】
その後、騒音判定部９４４は、騒音判定用メモリ１００に記憶されている周囲騒音信号の振幅波高値の最大値と平均値を利用し、電子機器の周囲で発生している騒音の種類を判定する（Ｓ５０７）。
【００５４】
図３に示すフローチャートに戻って説明を続ける。
【００５５】
騒音判定部９４４において電子機器の周囲で発生している騒音の種類が特定されると、騒音種類判定部９４は、騒音種類を示すデータＮＰｏｎ（ＮｏｉｓｅＰｏｗｅｒｏｎ）を音声出力レベルの調整パラメータとしてＣＰＵ９６に提供する。騒音種類データＮＰｏｎには、振幅波高値の最大値ＮＭＬｏｎ（ＮｏｉｓｅＭａｘＬｅｖｅｌｏｎ）と平均値ＮＡＬｏｎ（ＮｏｉｓｅＡｖｅｒａｇｅＬｅｖｅｌｏｎ）が含まれている。なお、電源投入処理において、騒音レベル検出部９４２は、第１騒音レベル検出部として機能し、騒音判定部９４４は第１騒音判定部として機能する。
【００５６】
騒音種類判定処理が完了すると、ＣＰＵ９６は、記憶部１２０から前回の電源切断時に記憶した騒音種類データＮＰｏｆｆ（ＮｏｉｓｅＰｏｗｅｒｏｆｆ）を読み出して取得する（Ｓ２０７）。騒音種類データＮＰｏｆｆには、振幅波高値の最大値ＮＭＬｏｆｆ（ＮｏｉｓｅＭａｘＬｅｖｅｌｏｆｆ）と平均値ＮＡＬｏｆｆ（ＮｏｉｓｅＡｖｅｒａｇｅＬｅｖｅｌｏｆｆ）が含まれている。ＣＰＵ９６は、記憶部１２０から取得した騒音種類データＮＰｏｆｆと騒音種類判定部９４から提供された騒音種類データＮＰｏｎとを比較し、騒音値を示す調整パラメータＮＶ（ＮｏｉｓｅＶａｌｕｅ）を算出する（Ｓ２０８）。
【００５７】
調整パラメータＮＶは、音声出力レベルを設定するボリューム値ＶＰｏｎを求めるための係数として用いられる。調整パラメータＮＶは、記憶部１２０から前回の電源切断時に取得した振幅波高値の最大値ＮＭＬｏｆｆと、騒音種類判定部９４から提供される振幅波高値の最大値ＮＭＬｏｎと、の比率を示す第１係数と、記憶部１２０から前回の電源切断時に取得した振幅波高値の平均値ＮＡＬｏｆｆと、騒音種類判定部９４から提供される振幅波高値の平均値ＮＡＬｏｎと、の比率を示す第２係数と、に基づき、式（１）によって算出される。
ＮＶ＝（ＮＭＬｏｎ／ＮＭＬｏｆｆ＋ＮＡＬｏｎ／ＮＡＬｏｆｆ）／２  …  式（１）
【００５８】
ステップＳ２０３〜Ｓ２０４の処理とステップＳ２０５〜Ｓ２０８の処理は、並列処理される。ＣＰＵ９６は、式（２）に示すように、ステップＳ２０４で取得したボリューム値ＶＰｏｆｆに係数としての調整パラメータＮＶを乗算することによって、ボリューム値ＶＰｏｎを算出する（Ｓ２０９）。
ＶＰｏｎ＝ＶＰｏｆｆ×ＮＶ  …  式（２）
【００５９】
ＣＰＵ９６は、式（２）によって算出したボリューム値ＶＰｏｎをボリュームコントローラ９８に供給する。ボリュームコントローラ９８は、ＣＰＵ９６から供給されたボリューム値ＶＰｏｎに基づいてボリューム２０を制御し、音源１０から供給されるデジタル音声信号の出力レベルをボリューム値ＶＰｏｎとして設定する（Ｓ２１０）。ボリューム２０における音声出力レベルの設定が完了すると、音源１０による音声出力が開始され（Ｓ２１１）、音量調整装置１による電源投入処理が終了する（Ｓ２１２）。
【００６０】
本実施形態１の電源投入処理では、電子機器の電源切断時に取得した騒音種類データＮＰｏｆｆと電子機器の電源投入時に取得した騒音種類データＮＰｏｎに基づいて、電子機器の電源切断時と電源投入時の周囲環境の変化を示す差分値を係数として用いている。よって、電子機器の電源投入時における音声出力レベルを生活環境に応じて最適化することができる。
【００６１】
図４に示すフローチャートは、ステップＳ１０２のボリューム調整処理の詳細な流れの一例を示すフローチャートである。
【００６２】
ステップＳ１０１の電源投入処理が終了した後は、ユーザーによる入力部１１０あるいはリモートコントローラ１３０からの操作指示に基づいてボリュームの調整が行われる手動調整モードに移行する。
【００６３】
音量調整装置１が手動調整モードに移行すると、ＣＰＵ９６は、ユーザーによる入力部１１０あるいはリモートコントローラ１３０からのボリューム操作指示の有無を監視する（Ｓ３０１）。ユーザーからのボリューム操作指示がない場合は（Ｓ３０１でＮｏ）、ステップＳ１０３に移行する。図２で示すステップＳ１０３と図４で示すステップＳ１０３は同じである。
【００６４】
一方、ユーザーからのボリューム操作指示を受けた場合は（Ｓ３０１でＹｅｓ）、ボリューム操作指示が、音量を増加させるアップ指示か、音量を減少させるダウン指示か、を判定する（Ｓ３０２）。ユーザーからのボリューム操作指示がアップ指示である場合、ＣＰＵ９６は、ボリュームコントローラ９８にボリューム２０の音声出力レベルを上げるように指示信号を送出する。この時、ユーザーによる指示に基づき設定された設定値も併せて送出する。ボリュームコントローラ９８は、ＣＰＵ９６からの指示信号に応じて、ボリューム２０の音声出力レベルを指示されたボリューム値となるように制御する（Ｓ３０３）。その後、
ＣＰＵ９６は、ボリュームコントローラ９８に送出した設定値をボリューム値ＶＰとして記憶部１２０に記憶する（Ｓ３０４）。
【００６５】
ステップ３０２で、ユーザーからのボリューム操作指示がダウン指示である場合、ＣＰＵ９６は、ボリュームコントローラ９８にボリューム２０の音声出力レベルを下げるように指示信号を送出する。この時、ユーザーによる指示に基づき設定された設定値も併せて送出する。ボリュームコントローラ９８は、ＣＰＵ９６からの指示信号に応じて、ボリューム２０の音声出力レベルを指示されたボリューム値となるように制御する（Ｓ３０５）。その後、ＣＰＵ９６は、ボリュームコントローラ９８に送出した設定値をボリューム値ＶＰとして記憶部１２０に記憶する（Ｓ３０４）。
【００６６】
ステップＳ３０１〜Ｓ３０５は、ステップＳ１０３で電源切断指示を受けるまで繰り返される。
【００６７】
図５に示すフローチャートは、ステップＳ１０４の電源切断処理の詳細な流れの一例を示すフローチャートである。
【００６８】
ステップＳ１０３において、ＣＰＵ９６が入力部１１０あるいはリモートコントローラ１３０の操作を介してユーザーからの電子機器の電源切断指示を受付けると（Ｓ１０３でＹｅｓ）、ＣＰＵ９６は、電子機器の電源切断処理を開始する（Ｓ４０１）。
【００６９】
ステップＳ４０１で電源切断処理が開始されると、騒音種類判定部９４において騒音判定処理が開始される（Ｓ４０２）。騒音判定処理とは、電子機器の周囲で発生している騒音の種類を判定する処理である。
【００７０】
騒音判定処理が開始されると、マイクロフォン６０により集音された周囲音声信号が、マイクアンプ７０とＡＤＣ８０を介してエコーキャンセラー９２に入力される。エコーキャンセラー９２は、周囲音声信号から騒音成分の信号である周囲騒音信号のみを抽出し、周囲騒音信号を騒音種類判定部９４に供給する。
【００７１】
騒音種類判定部９４では、入力される周囲騒音信号から騒音の種類を特定するための判定処理が実行される（Ｓ４０３）。騒音レベル検出部９４２は、エコーキャンセラー９２から供給される周囲騒音信号の振幅波高値を監視し、振幅波高値の最大値を検出する。また、騒音判定用メモリ１００を演算用メモリとして使用し、周囲騒音信号の振幅波高値の変化をリアルタイムに取得して、振幅波高値の平均値を算出する。検出した振幅波高値の最大値と算出した振幅波高値の平均値は、騒音判定用メモリ１００に記憶される。騒音判定部９４４は、記憶された振幅波高値の最大値および平均値を元に周囲騒音の種類を判定する。騒音種類判定処理の詳細は、ステップＳ２０６の騒音種類判定処理の詳細（図６参照）と同じであるため、ここでの説明は省略する。
【００７２】
なお、ステップ４０３では、電源投入処理と同様に、電源切断処理が開始されてから所定時間が経過したかを監視する。電源切断処理における所定時間は、電源投入処理における所定時間と同じ設定であってもよいし、個別に設定ができるようにしてもよい。例えば、電源切断処理における所定時間を電源投入処理における所定時間よりも短く設定し、電源切断処理を早く終了させるようにしてもよい。また、周囲騒音の種類の判定精度を向上するために、電源終了処理における所定時間を長めに設定し、電子機器のＯＦＦ表示やイルミネーション点灯などが終了した後も、電源切断処理をバックグラウンドで動作させるようにしてもよい。
【００７３】
騒音判定部９４４において電子機器の周囲で発生している騒音の種類が特定されると、騒音種類判定部９４は、騒音種類を示すデータＮＰｏｆｆを音声出力レベルの調整パラメータとしてＣＰＵ９６に提供する。騒音種類データＮＰｏｆｆには、振幅波高値の最大値ＮＭＬｏｆｆと平均値ＮＡＬｏｆｆが含まれている。なお、電源切断処理において、騒音レベル検出部９４２は、第２騒音レベル検出部として機能し、騒音判定部９４４は第２騒音判定部として機能する。
【００７４】
騒音種類判定処理が完了すると、ＣＰＵ９６は、騒音種類データＮＰｏｆｆを記憶部１２０に記憶する（Ｓ４０４）。また、ボリューム２０に設定されている音声出力レベルをボリューム値ＶＰｏｆｆとして記憶部１２０に記憶し（Ｓ４０５）、音源１０からの音声出力を停止する（Ｓ４０６）。
【００７５】
音源１０からの音声出力の停止後あるいは音声出力の停止と同時に、電子機器の電源を切断し、電源切断処理を終了する（Ｓ４０７）。
【００７６】
本実施形態１の電源切断処理では、電子機器の周囲で発生している騒音の種類を判定し、次回の電源投入時に音声出力レベルを調整するための調整パラメータとして記憶する。よって、電子機器の電源投入時に、電源切断時に記憶した調整パラメータを用いることで、
電子機器の電源切断時と電源投入時の周囲環境の変化に応じた音声出力レベルを設定することができる。
【００７７】
次に、騒音判定部９４４が、周囲騒音信号から取得した振幅波高値の最大値および平均値を元に、周囲騒音の種類を判定するときに使用する判定テーブルについて、図７を参照して説明する。ここで説明する判定テーブルは、一例であり、これに限定されるものではない。電子機器が設置される周囲環境は、都会、田舎、戸建て、マンション、木造、鉄筋、防音設計、幹線道路沿い、鉄道沿い、山中、住宅地域、商業地域、工業地域、等、様々であるため、判定テーブルは一義的に決められるものではない。よって、実験やサンプルによって最適化された何種類かの判定テーブル用意しておき、電子機器の設置環境に応じて、選択的に切り替えられるようにしておくのが望ましい。
【００７８】
周囲騒音の種類は、周囲騒音信号から取得される振幅波高値の最大値と平均値の組み合わせから判定される。
【００７９】
騒音レベル検出部９４２により検出される振幅波高値の最大値からは、騒音レベルが判定される。例えば、騒音判定部９４４は、閾値レベルと所定時間内に検出された振幅波高値の最大値とを比較し、閾値レベルに対する最大値の大小を判定する。具体的には、最大値が閾値レベルより大きい場合は、騒音レベルが高く、最大値が閾値レベルよりも小さい場合は、騒音レベルが低いと判定する。
【００８０】
騒音レベル検出部９４２により算出される振幅波高値の平均値からは、周囲騒音の発生頻度が判定される。例えば、騒音判定部９４４は、レベルの異なる２つの閾値レベルと所定時間内に算出された振幅波高値の平均値とを比較し、２つの閾値レベルに対する平均値の大小を判定する。具体的には、平均値≦第１閾値レベルである場合には、平均値は小レベルであるとして、周囲騒音の発生頻度は突発的であると判断する。また、第１閾値レベル＜平均値＜第２閾値レベルである場合には、平均値は中レベルであるとして、周囲騒音の発生頻度は断続的であると判断する。また、第２閾値レベル≦平均値である場合には、平均値は大レベルであるとして、周囲騒音の発生頻度は継続的であると判断する。なお、第１閾値レベルと第２閾値レベルとの関係は、第１閾値レベル＜第２閾値レベルである。
【００８１】
騒音判定部９４４は、騒音レベルの判定結果と発生頻度の判定結果に基づいて、各結果の組み合わせから周囲騒音の種類を判定する。
例えば、周囲騒音の騒音レベルが高く、発生頻度が断続的である場合は、屋内にいる人の会話であり、調整レベルは小であると判定する。例えば、周囲騒音の騒音レベルが高く、発生頻度が継続的である場合は、生活音であり、調整レベルは大であると判定する。例えば、周囲騒音の騒音レベルが高く、発生頻度が突発的である場合は、瞬間的なトラブル音であり、調整レベルは無視できるレベル（ほぼゼロ）であると判定する。例えば、周囲騒音の騒音レベルが低く、発生頻度が断続的である場合は、車両通過などの屋外騒音であり、調整レベルは小であると判定する。例えば、周囲騒音の騒音レベルが低く、発生頻度が継続的である場合は、工事などの屋外騒音であり、調整レベルは大であると判定する。
【００８２】
なお、本実施形態１では、周囲騒音信号をフレーム単位で処理していることを利用し、騒音レベルの判定結果と発生頻度の判定結果の単なる組み合わせではなく、フレーム単位の最大値と平均値の変化、すなわち、騒音レベルの変化と発生頻度の変化を周囲騒音の種類判定に用いてもよい。
【００８３】
騒音判定部９４４は、判定した周囲騒音の種類に関するデータを、電源投入処理のときは騒音種類データＮＰｏｎとしてＣＰＵ９６に提供し、電源切断処理のときは騒音種類データＮＰｏｆｆとしてＣＰＵ９６に提供する。
【００８４】
以上のことから、調整パラメータＮＶを求める式（１）は、電源切断処理で判定した周囲騒音の種類と、電源投入処理で判定した周囲騒音の種類とを比較し、電源投入時における電子機器の周囲環境を総合的に判断しているということができる。
【００８５】
以上、本実施形態１に係る音量調整装置では、電子機器の電源投入時における電子機器の周囲騒音だけでなく、電子機器の電源切断時における電子機器の周囲騒音も考慮して、電源投入時に電子機器から出力される音声信号の出力レベルを調整することができる。よって、電子機器の電源切断時と電源投入時の周囲環境の変化に対応させることができ、電子機器の電源投入時における音声出力レベルを生活環境の変化に応じて最適化することができる。また、電子機器の電源投入時にスピーカから不必要な大音量で音声が出力される、スピーカから出力される音声が聞こえない、などといった不具合を解消することができる。
【００８６】
［実施形態２］  
図８乃至図１１を参照しながら、実施形態２に係る音量調整装置１Ａについて説明する。
図８は、本実施形態２に係る音量調整装置１Ａの概略的な構成例を示すブロック図である。
【００８７】
音量調整装置１Ａは、基本的な構成は実施形態１の音量調整装置１と同じである。以下の説明においては、音量調整装置１と同様の構成要素には、同一の符号または対応する符号を付し、その詳細な説明は省略する。音量調整装置１Ａは、時刻情報取得部２００を備える点と、ＣＰＵ９６におけるボリューム値ＶＰｏｎの演算処理が実施形態１と異なる。
【００８８】
時刻情報取得部２００は、電子機器に内蔵されている時計から電子機器の電源投入時および電源切断時の時刻情報を取り込み、ＣＰＵ９６に供給する。時刻情報は、インターネットや無線通信を介して取得してもよい。また、ＣＰＵ９６は、電子機器の電源切断時の時刻情報を記憶部１２０に記憶する。
【００８９】
次に、図９と図１０を用いて、音量調整装置１Ａにおける電源投入処理について説明する。図９と図１０に示すフローチャートは、図２に示すフローチャートにおけるステップＳ１０１の電源投入処理の詳細な流れの一例を示すフローチャートである。ステップＳ７０１乃至ステップＳ７０８の処理では、図３に示すフローチャートのステップＳ２０１乃至ステップＳ２０８と同様の処理を行う。また、ステップＳ７１３乃至ステップＳ７１６の処理では、図３に示すフローチャートのステップＳ２０９乃至ステップＳ２１２と同様の処理を行う。
【００９０】
ステップＳ７０８において、式（１）を用いて調整パラメータＮＶが算出されると、ＣＰＵ９６は、式（２）を用いてボリューム値ＶＰｏｎを算出する（Ｓ７０９）。ここで、ＣＰＵ９６は、ボリューム値ＶＰｏｎとボリューム値ＶＰｏｆｆを比較し、ボリューム値ＶＰｏｎとボリューム値ＶＰｏｆｆが等しいかを判定する（Ｓ７１０）。ステップＳ７１０では、ボリューム値ＶＰｏｎとボリューム値ＶＰｏｆｆが完全一致ではなく、近似範囲を等しいと判定してもよい。
【００９１】
ステップＳ７０１でボリューム値ＶＰｏｎとボリューム値ＶＰｏｆｆが等しくないと判定された場合は、ステップＳ７０９で算出したボリューム値ＶＰｏｎを確定する（Ｓ７１３）。ステップＳ７０１でボリューム値ＶＰｏｎとボリューム値ＶＰｏｆｆが等しいと判定された場合は、記憶部１２０から前回の電源切断時刻を読み出し、電源投入時刻と比較する（Ｓ７１１）。
【００９２】
調整パラメータＮＶは、式（１）を用いて算出されるが、電子機器の電源切断時および電源投入時の周囲環境によっては、調整パラメータＮＶが１あるいは１の近似値となる場合がある。この場合、調整パラメータＮＶは無効係数となるため、式（２）を用いてボリューム値ＶＰｏｎを算出すると、ボリューム値ＶＰｏｎとボリューム値ＶＰｏｆｆは実質的に等しくなる。電源切断時刻と電源投入時刻が同じ時間帯に属していれば大きな問題になることはない。しかし、電源切断時刻と電源投入時刻が異なる時間帯に属しており、調整パラメータＮＶが実質的に無効係数となる場合は、例えば、深夜に想定外の大音量で出力される可能性がある。逆にまったく聞き取れない音量で出力される可能性もある。
【００９３】
そこで、本実施形態２では、ボリューム値ＶＰｏｎとボリューム値ＶＰｏｆｆが等しい場合、ステップＳ７１１で前回の電源切断時刻と電源投入時刻とを比較し、調整パラメータとして時刻情報に基づく調整係数ＴＶ（ＴｉｍｅＶａｌｕｅ）を算出する（Ｓ７１２）。
【００９４】
時刻情報に基づく調整係数ＴＶの算出方法について、図１１を参照して説明する。図１１に示す参照テーブルは、一例であり、これに限定されるものではない。
【００９５】
本実施形態２では、０時〜２４時の時刻を、０時〜６時、６時〜９時、９時〜１５時、１５時〜１９時、１９時〜２４時、の５つの時間帯に分け、各時間帯に重み付けの係数を設定している。本実施形態２では、０時〜６時を深夜帯として係数１を設定し、これを基準に重み付けを行っている。６時〜９時の時間帯は、出勤や登校でやや騒がしくなることから係数１．２を設定している。９時〜１５時の時間帯は、日中の騒がしい時間帯となることから係数１．６を設定している。１５時〜１６時の時間帯は、下校時間や通勤時間が含まれるため、１日で最も騒がしい時間帯となることから係数１．８を設定している。１９時〜２４時は夜間帯であることから係数１．４を設定している。時間帯の振り分けや重み付け係数の振り分けは、電子機器が設置される周囲環境によって最適化する必要があるため、一義的に決められるものではなく、適宜、変更することができるものである。
【００９６】
調整係数ＴＶは、電源切断時刻の係数をＴＶｏｆｆ、電源投入時刻の係数をＴＶｏｎとした場合、式（３）によって算出される。
ＴＶ＝ＴＶｏｎ／ＴＶｏｆｆ  …  式（３）
【００９７】
図１０の参照テーブルを用いて具体的に説明する。例えば、電子機器の電源切断時刻が２２時５０分であった場合、電源切断時刻は１９時〜２４時の時間帯に属するため、係数ＴＶｏｆｆは１．４に設定される。また、電子器の電源投入時刻が７時１０分であった場合、電源投入時刻は６時〜９時の時間帯に属するため、係数ＴＶｏｎは１．２に設定される。よって、この場合の調整係数ＴＶは、式（３）により、ＴＶ＝１．２／１．４＝０．８６、に設定されることになる。
【００９８】
別の例として、電子機器の電源切断時刻が９時４５分であった場合、電源切断時刻は９時〜１５時の時間帯に属するため、係数ＴＶｏｆｆは１．６に設定される。また、電子器の電源投入時刻が三日後の１７時２０分であった場合、電源投入時刻は１５時〜１９時の時間帯に属するため、係数ＴＶｏｎは１．８に設定される。よって、この場合の調整係数ＴＶは、式（３）により、ＴＶ＝１．８／１．６＝１．１３、に設定されることになる。この例の場合、電源切断時から次の電源投入時まで数日が経過しているが、時刻情報の比較ができれば調整係数が求まるため、電源切断時から次の電源投入時までの経過日数については考慮する必要はない。
【００９９】
また、電源切断時刻と電源投入時刻が同じ時間帯に属する場合は、調整係数は１となるため、無効係数となり、ボリューム値ＶＰｏｎとボリューム値ＶＰｏｆｆは等しいままとなる。
【０１００】
以上のように、本実施形態に２においては、ステップＳ７１０においてボリューム値ＶＰｏｎとボリューム値ＶＰｏｆｆが等しいと判定された場合は、電子機器の電源投入時におけるボリューム値ＶＰｏｎは、式（４）により算出され、決定される（Ｓ７１３）。
ＶＰｏｎ＝ＶＰｏｆｆ×ＮＶ×ＴＶ  …  式（４）
【０１０１】
以上、本実施形態２に係る音量調整装置では、電子機器の電源切断時と電源投入時における電子機器の周囲騒音だけでなく、電子機器の電源切断時と電源投入時の時刻も考慮して、電源投入時に電子機器から出力される音声信号の出力レベルを調整することができる。よって、電子機器の電源切断時と電源投入時の周囲環境の変化により精度よく対応させることができ、電子機器の電源投入時における音声出力レベルを生活環境の変化に応じて最適化することができる。また、電子機器の電源投入時にスピーカから想定外の大音量で音声が出力される、スピーカから出力される音声が聞き取れない、などといった不具合を解消することができる。
【０１０２】
以上、本発明の実施形態として２つの実施形態を説明したが、これらの実施形態は、例として提示したものであり、発明穂範囲を限定することを意図していない。
【０１０３】
図示した音量調整装置１の各構成要素は、機能概念的なものであり、必ずしも物理的に図示の如く構成されていなくてもよい。すなわち、各構成要素の具体的な形態は、図示のものに限られず、各構成要素の処理負担や使用状況などに応じて、その全部または一部を任意の単位で機能的または物理的に分散または統合してもよい。
【０１０４】
音量調整装置１の構成の全部または一部は、例えば、ソフトウェアとして、メモリにロードされたプログラムなどによって実現可能である。上記実施形態では、これらのハードウェアまたはソフトウェアの連携によって実現される機能ブロックとして説明した。すなわち、これらの機能ブロックについては、ハードウェアのみ、ソフトウェアのみ、または、それらの組み合わせによって種々の形で実現できる。
【０１０５】
上記した構成要素には、当業者が容易に想定できるもの、実質的に同一のものを含む。さらに、上記した構成は適宜組み合わせが可能である。また、本発明の要旨を逸脱しない範囲において構成の種々の省略、置換または変更が可能である。
【符号の説明】
【０１０６】
１      音量調整装置
１０    音源
２０    ボリューム
３０    ＤＡＣ
４０    パワーアンプ
５０    スピーカ
６０    マイクロフォン
７０    マイクアンプ
８０    ＡＤＣ
９０    音声出力レベル調整部
９２    エコーキャンセラー
９４    騒音種類判定部
９６    ＣＰＵ
９８    ボリュームコントローラ
１００  騒音判定用メモリ
１１０  入力部
１２０  記憶部
１３０  リモートコントローラ
２００  時刻情報取得部
９４２  騒音レベル検出部
９４４  騒音判定部
【図１】
2020127066.tif 000003
【図２】
2020127066.tif 000004
【図３】
2020127066.tif 000005
【図４】
2020127066.tif 000006
【図５】
2020127066.tif 000007
【図６】
2020127066.tif 000008
【図７】
2020127066.tif 000009
【図８】
2020127066.tif 000010
【図９】
2020127066.tif 000011
【図１０】
2020127066.tif 000012
【図１１】
2020127066.tif 000013